(57)【特許請求の範囲】
【請求項１】
弱音演奏時に弦とハンマーとの間に介在されるマフラー機構と、前記弦の打弦点もしくはその近傍に対応して前記ハンマーとは反対側に配設された振動抑制手段とを備え、この振動抑制手段は、通常演奏時においては前記弦から離間されており、弱音あるいは消音演奏時に前記弦の打弦点もしくはその近傍に当接され、前記マフラー機構とで弦を挾み込むことを特徴とする鍵盤楽器。
【請求項２】
請求項１記載の鍵盤楽器において、
振動抑制手段は、楽器本体側に固定された伸縮自在なエアバックと、このエアバックに固着されたクッション材とを備え、弱音あるいは消音演奏時に空気の供給によってエアバックを膨張させ、クッション材を弦に押し付けることを特徴とする鍵盤楽器。
【請求項３】
請求項１記載の鍵盤楽器において、
マフラー機構と振動抑制手段とは弱音あるいは消音演奏時に互いに連動して動作することを特徴とする鍵盤楽器。
【請求項４】
請求項１，２，３のうちのいずれか１つに記載の鍵盤楽器において、
鍵盤の操作を検出する検出手段と、この検出手段の検出結果に応じて電子的に楽音信号を発生する楽音信号発生手段とを備えたことを特徴とする鍵盤楽器。
【発明の詳細な説明】
【０００１】
【産業上の利用分野】
この発明は、鍵盤に連動して動作し弦を打撃するアクション機構を備えた鍵盤楽器に関し、特にハンマーによって弦を直接打撃する通常演奏と、打弦時に弦の振動を抑制し演奏音を弱音化させる弱音演奏（あるいは消音演奏）を選択的に切り替え得るようにした鍵盤楽器に関する。
【０００２】
【従来の技術】
鍵盤の押鍵操作に連動して動作するアクション機構によって弦を打撃するグランドピアノ、アップライトピアノ等の鍵盤楽器においては、演奏音量が大きいことから、演奏音量を選択的に小さくする弱音機構を備えている。この弱音機構としては、ペダル操作によってマフラーフェルトと呼ばれるクッション材を弦とハンマーとの間に選択的に介在させるものがある（以下先行技術１という）。
【０００３】
また、弱音装置の別の従来例としては、たとえば特公昭５４−４００１３号公報（以下先行技術２という）に開示されたものも知られている。この先行技術２は、複数本張設された弦相互間からハンマー方向に突出する足を有する可動片を各音高の弦それぞれに対応して設けるとともに、各可動片をばねによってハンマー方向に付勢し、通常演奏時にはハンマーが可動片を打撃しないように可動片を弦から十分離間させておき、弱音演奏時には弦間から可動片の足を突出させて可動片を介してハンマーが弦を打撃することでハンマーを減速させ、その打撃力を弱めるようにしたものである。
【０００４】
さらにまた、最近では楽器の多様化に伴い、通常演奏と、打弦音を全く発生させない演奏（消音演奏）を切替え可能にした鍵盤楽器も提案されている。このような鍵盤楽器においては、鍵の動きを検知するキーセンサ、ペダルセンサ等のセンサを組み込んでおくことにより、打弦を通じて弦を振動させて発音する通常演奏時においては自然ピアノの演奏を行うことができ、消音演奏時には弦を発音させずセンサによって楽音制御回路を制御し電子音を発生させる電子ピアノの演奏を行うことができる。打弦音を発生させない具体的方法としては種々提案されているが、その一例として本出願人が先に提案した特願平５−３４７２１６号に開示しているような消音装置（以下先行技術３という）がある。この先行技術３は、通常演奏時にはハンマーによる打弦を阻止せず、非打弦演奏時にハンマーが打弦する直前にハンマーシャンクの回動を阻止する阻止機構と、弦に対して当接・離間自在に配設され、非打弦演奏時に弦とハンマーとの間に介在される第１の減音手段と、同じく非打弦演奏時に前記弦に前記第１の減音手段とは反対側から、かつ前記ハンマーによって打撃される部位とは異なった部位に当接される第２の減音手段とで構成したものである。この消音装置によれば、消音時には、ハンマーシャンクの回動を阻止することでハンマーは減速されて弦を打撃するとともに、第１および第２の減音手段で弦の振動を抑制することにより、音程感のある音の発生を防ぐことができる。
【０００５】
また、打弦音を発生させない具体的方法の他の例として本出願人が先に提案した特開昭６１−２８９３９３号公報に開示されているような消音装置（以下先行技術４という）がある。この先行技術４は、通常演奏時には押鍵される鍵がダンパー機構を弦から離間させることで発音を可能にし、消音演奏時には押鍵されてもダンパー機構が弦から離れないようにして打弦音を発生させないようにしている。
【０００６】
【発明が解決しようとする課題】
しかしながら、上記した従来の鍵盤楽器においても以下に述べるような問題があった。
すなわち、先行技術１は、ハンマーがマフラーフェルトを介して弦を打撃するので音をある程度まで弱音化できるが、音程感のある音を微弱に発音する、あるは音程感のある音を完全に発音させないようにするということはできなかった。また、先行技術２は、可動片によりハンマーを減速させるようにしているので音をある程度まで弱音化できるが、弦の振動を抑制するものではないので、音程感のある音を微弱に発音する、あるいは音程感のある音を完全に発音させないようにするということはできなかった。
さらに、先行技術３は、阻止機構によりハンマーシャンクの回動を打弦直前に停止させているため、鍵のタッチをある程度犠牲にしなければならないという問題があった。すなわち、打弦音を完全に発生しないようにするためには、阻止手段によりハンマーシャンクの回動が停止された時点におけるハンマーと弦との距離は、ハンマーシャンクの撓み等を考慮すると、たとえば１０ｍｍ程度必要である。言い換えると、ハンマーと弦との距離が１０ｍｍ程度になった時にハンマーシャンクの回動を阻止するように阻止機構を設ける必要がある。この時、ハンマーの接近を従来のピアノと同じ（低音域３ｍｍ、中音域２．５ｍｍ、高音域２ｍｍ）に設定した場合、ジャックがバットの下部から脱進する前に、ジャックおよび阻止機構によってバットが挟み込まれて止まってしまい、ピアノ的な演奏（たとえば連打）ができなくなる。これを防止するためにはジャック小とレギュレチングボタンとの距離を短縮してジャックの脱進時期を早めに調整し、ハンマーの接近を通常より広く、たとえば１０ｍｍ以上にしなければならない。しかし、ハンマーの接近を通常より広くすると、鍵のタッチが浅く感じるようになる。また、早めの脱進によりジャックのバットに対する供給エネルギが減少するため、通常演奏時のハンマーの衝撃力も弱くなり、打弦による音色が変化してしまう。  さらに、阻止機構、第１および第２の減音手段を設ける必要があり、構造が大規模にならざるを得なかった。
さらにまた、先行技術４は、消音演奏時には、鍵を押したときに鍵がダンパー機構を持ち上げないので、ダンパー機構の負荷が鍵に作用せず、鍵のタッチ感が軽くなってしまうという問題があった。
【０００７】
したがって、この発明は上記した従来の問題点に鑑みてなされたもので、その目的とするところは、簡単な構造で、かつ鍵タッチ感を何等変えることなく通常演奏と弱音あるいは消音演奏を選択的に切り替えることができるようにした鍵盤楽器を提供することにある。
【０００８】
【課題を解決するための手段】
上記目的を達成するため、この発明は、弱音演奏時に弦とハンマーとの間に介在されるマフラー機構と、前記弦の打弦点もしくはその近傍に対応して前記ハンマーとは反対側に配設された振動抑制手段とを備え、この振動抑制手段は、通常演奏時においては前記弦から離間されており、弱音あるいは消音演奏時に前記弦の打弦点もしくはその近傍に当接され、前記マフラー機構とで弦を挾み込むことを特徴とする。
また、この発明は、振動抑制手段が、楽器本体側に固定された伸縮自在なエアバックと、このエアバックに固着されたクッション材とを備え、弱音あるいは消音演奏時に空気の供給によってエアバックを膨張させ、クッション材を弦に押し付けることを特徴とする。
また、この発明は、マフラー機構と振動抑制手段とが弱音あるいは消音演奏時に互いに連動して動作することを特徴とする。
さらに、この発明は、鍵盤の操作を検出する検出手段と、この検出手段の検出結果に応じて電子的に楽音信号を発生する楽音信号発生手段とを備えたことを特徴とする。
【０００９】
【作用】
この発明において、振動抑制手段は弱音演奏時に弦の打弦点もしくはその近傍をハンマーとは反対側から押圧する。ハンマーは、振動抑制手段が接触している弦を打撃する。
マフラー機構は、弱音演奏時にハンマーと弦との間に介在されることによりハンマーの打撃力を弱める。
弱音あるいは消音演奏時に振動抑制手段とマフラー機構とで弦を挟み込むことにより、ハンマーの打撃力を弱めると同時に弦の振動を阻止する。
振動抑制手段のエアバックは、弱音あるいは消音演奏時に空気が供給されることにより膨張し、クッション材を弦に押し付ける。
マフラー機構と振動抑制手段とは弱音あるいは消音演奏時に互いに連動して動作し、通常演奏状態または弱音演奏状態から消音演奏状態に切り替える。
楽音信号発生手段は、鍵盤の操作が検出されることにより電子的に楽音信号を発生する。
【００１０】
【実施例】
以下、この発明を図面に示す実施例に基づいて詳細に説明する。
図１はこの発明をアップライトピアノに適用した場合の第１実施例を示す低音域（または中音域）における鍵盤とアクション機構部の断面図、図２は振動抑制手段の一部を破断した斜視図である。図１において、棚板１の上には鍵盤筬２が固定されており、さらにその上に白鍵と黒鍵とからなり鍵盤４を構成する８８個の鍵４Ａがその略中央部をバランスキーピン５により上下方向に揺動自在に支持されて、かつ各音高の弦３に対応するように並設されている。
【００１１】
前記棚板１の後方には支柱アッセンブリ６が略垂直に立設されている。支柱アッセンブリ６は、上桁７、中桁８、大土台（図示せず）、桁裏９等によって枠状体に形成された支柱本体１０と、支柱本体１０の前面に固定されたピン板１１および内廻し１２等で構成されている。ピン板１１の前面にはフレーム１３の上端部が固定されている。内廻し１２は枠状に形成されており、その前面に響板１４の周縁部が固定されている。フレーム１３は、アルミニウム、鋳鉄等の鋳物製で、前記弦３の上下端部を支持する弦受山１３ａを一体に有し、両側部および下端部が前記内廻し１２に響板１４を介して固定されている。弦３は、上下端部が前記フレーム１３に植設されたチューニングピン１６と図示しないフレームピンにそれぞれ係止されることにより所定の張力で張設されている。響板１４の前面には中、高音域の弦３の中間部を支持する長駒１７と、低音域の弦３の中間部を支持する図示しない短駒が固着されている。このような支柱アッセンブリ６の構造は従来のアップライトピアノの支柱アッセンブリと同様である。
【００１２】
前記鍵盤４の上方で弦３の前方には全ての弦３に対して共通に延在するセンターレール１８が配設されており、このセンターレール１８には各鍵４Ａに連動して動作し対応する弦３を打撃するアクション機構１９とダンパー機構２０が組み付けられている。センターレール１８は、鍵４Ａの配列方向に並設された３〜４つの図示しないアクションブラケットに共通に固定されている。
【００１３】
前記アクション機構１９は、ウイペン２２、ジャック２３、バット２４、ハンマーアッセンブリ２５、キャッチャ２６等で構成されている。
【００１４】
前記ウイペン２２は、後端が前記センターレール１８の下端部に固定されたウイペンフレンジ２７にピンを介して上下方向に回動自在に軸支されており、前端側下面に一体的に設けられたウイペンヒール２２Ａが鍵４Ａの上面後端部寄りに植設されたキャプスタン２８の上に載置されることにより通常略水平に保持されている。さらにウイペン２２の前端側上面にはバックチェックワイヤ２９とブライドルワイヤ３０が鍵盤４の前方側に所要角度傾斜して植設されている。バックチェックワイヤ２９の上端には打弦動作後弦３の反発力およびバットスプリング３２の力によって回動復帰するハンマーアッセンブリ２５を弾性的に受け止めるバックチェック３１が取り付けられている。
【００１５】
前記ジャック２３は側面視Ｌ字状に形成されて、その下端屈曲部が前記ウイペン２２の上面に突設されたジャックフレンジ３３にピンを介して前後方向に回動自在に軸支されるとともに、ジャックスプリング３５によって図１において時計方向の回動習性が付与されている。ジャック２３の上方に伸びる一腕はジャック大２３Ａを形成し、その頂端面がバット２４の下面前端部に当接し、前方に伸びる他腕がジャック小２３Ｂを形成し、後述するレギュレチングアッセンブリ３６の下方に延在している。
【００１６】
前記バット２４は、前記センターレール１８の肩部に固定されたバットフレンジ３７にピンを介して前後方向に回動自在に設けられ、かつ前記バットスプリング３２によって図１において反時計方向の復帰習性が付与されている。
【００１７】
前記ハンマーアッセンブリ２５は、ハンマー３８と、ハンマーシャンク３９とで構成されている。ハンマー３８は、ハンマーウッド３８Ａと、フェルト等の弾性部材からなるハンマーヘッド３８Ｂとで構成されている。ハンマーシャンク３９は、その下端が前記バット２４に固定されており、通常ハンマーレール４０にフェルト４１を介して当接することにより初期位置に係止されている。
【００１８】
前記キャッチャ２６は、バット２４の前面にキャッチャシャンク４２を介して取り付けられている。キャッチャ２６と前記ブライドルワイヤ３０はブライドルテープ４３によって互いに連繋されており、これによってハンマーアッセンブリ２５の回動復帰をウイペン２２の回動復帰に追従させ、ハンマーアッセンブリ２５の跳ね返り、弦３の２度打ちを防止するとともに、ハンマーアッセンブリ２５の初期位置への復帰を早めるようにしている。
【００１９】
前記レギュレチングアッセンブリ３６は、８８鍵のアクション機構１９を複数個のアクション機構１９にグループ化した各セクション毎に延設された複数個のレギュレチングレール４５と、各ジャック２３のジャック小２３Ｂに対応して前記レギュレチングレール４５にレギュレチングスクリュウ４６を介して並設された複数個のレギュレチングボタン４７と、レギュレチングレール４５を保持する複数個のレギュレチングブラケット４８等で構成されており、このレギュレチングブラケット４８が前記センターレール１８に固定されている。ジャック小２３Ｂとレギュレチングボタン４７との間の距離Ｄは、ハンマー３８が弦３に２〜３ｍｍ程度まで接近した時ジャック２３がバット２４の下部から脱進する距離（３〜５ｍｍ程度）に設定されている。この距離Ｄは、レギュレチングスクリュウ４６を回転させてレギュレチングボタン４７を上下動させることにより簡単に微調整することができ、Ｄが大きくなると、ジャック２３の脱進時期が遅くなり、反対に小さくなると早くなる。
【００２０】
このようなアクション機構１９において、鍵４Ａの押鍵操作によってウイペン２２がキャプスタン２８によって突き上げられて時計方向に回動すると、ジャック２３がバット２４を突き上げてハンマーアッセンブリ２５を時計方向に回動させ、これによってハンマー３８が押鍵操作された鍵４Ａに対応する弦３を打撃する。打弦動作時において、ジャック２３はその上昇途中において、ジャック小２３Ｂがレギュレチングボタン４７に当接してその上昇運動を阻止されることにより、ジャックスプリング３５に抗して反時計方向に回動される。このため、ジャック２３はバット２４の下部から一時的に脱進する。この脱進時期は、通常演奏時において、ハンマー３８が弦３に２〜３ｍｍ程度まで接近したときとされる。そして、ジャック２３は、ハンマー３８による打弦動作後、鍵４Ａの復帰動作に伴うウイペン２２の回動下降に連動して回動復帰することにより、その上端が再びバット２４の下部に入り込み、次の打弦動作を可能にする。
【００２１】
前記ダンパー機構２０は、ダンパーレバー５１と、ダンパーレバー５１の上面の植設されたダンパーワイヤ５２と、ダンパーワイヤ５２の上端に取り付けられたダンパー５３等で構成されている。ダンパーレバー５１は、中間部が前記センターレール１８の上面に固定されたダンパーレバーフレンジ５４にピンを介して前後方向に回動自在に軸支されるとともに、ダンパーレバースプリング５５によって時計方向の回動習性が付与されており、これによって前記ダンパー５３を弦３に押し付けている。この状態において、ある鍵４Ａを押鍵操作すると、当該鍵４Ａに対応するウイペン２２の後端部上面に植設されたダンパースプーン５６がダンパーレバー５１の下端部を押圧するため、ダンパーレバー５１はダンパーレバースプリング５５に抗して回動され、ダンパー５３を弦３から離間させる。そして、このダンパー５３が離間した後、ハンマー３８が弦３を打撃することで、通常演奏を可能にしている。
【００２２】
なお、ハンマー３８による弦３の打弦点Ｐは各音域の弦３ａ，３ｂ，３ｃ（図２参照）によって異なり、低、中音弦３ａ，３ｂの場合は有効弦長（フレーム１３の上方側弦受山１３ａから長駒１７までの弦部分）の１／８の位置（弦受け山１３ａ側から）、高音弦３ｃの場合は１／２０の位置とされる。このため、高音弦３ｃの打弦点は、低、中音弦３ａ，３ｂの打弦点よりも高く、弦受山１３ａにきわめて近い位置とされる。また、上記したアクション機構１９とダンパー機構２０は、従来のアップライトピアノのアクション機構およびダンパー機構と全く同様である。
【００２３】
さらにこの発明においては、上記した通常演奏に加えて通常演奏時の鍵タッチ感を阻害しないで打弦音を弱めて弱音演奏することができる振動抑制手段６２を備えている。この振動抑制手段６２は、弱音演奏時に弦３の打弦点Ｐに対応して、弦についてハンマー３８と反対側、すなわち支柱アッセンブリ６側に配置され、弱音演奏時に弦３をハンマー方向に押圧して前記ハンマー３８のハンマーヘッド３８Ｂとともに弦３を挾み込むものである。一方、上記の通常演奏時には、振動抑制手段６２を弦３の後方に待機させた状態に保持しておく。この状態である鍵４Ａを押鍵操作すると当該鍵４Ａに連動してアクション機構１９が動作してハンマー３８が押鍵操作された鍵４Ａに対応する弦３を直接打撃する。したがって、大きな演奏音による演奏を行うことができる。
【００２４】
前記振動抑制手段６２は図１および図２に示すように、全ての弦３に対して共通に延在する押圧部材７４と、押圧部材７４の弦３と対向する前面に固着されたフェルト等のクッション材７５と、押圧部材７４を進退移動自在に支持する複数個の軸７６と、軸７６を後方に付勢する圧縮コイルばね７７と、支柱アッセンブリ６に固定され軸７６を進退移動自在に軸支する軸受７８と、押圧部材７４を退避位置と押圧位置の２位置に選択的に切り替える切替手段７９等で構成されている。押圧部材７４は、低音域および中音域にわたって延設される第１，第２押圧部７４ａ，７４ｂと、高音域にわたって延設される第３押圧部７４ｃとで構成されており、それぞれその弦３と対向する前面側にはクッション部材７５が固着されている。また、押圧部材７４は、弦３と響板１４との隙間に配置されており、第３押圧部７４ｃが上方に折り曲げられて第１、第２押圧部材７４ａ，７４ｂよりも高くなっている。これは低、中音弦３ａ，３ｂと高音弦３ｃの打弦点Ｐの高さが異なることによる。軸７６は響板１４に形成された挿通孔８０を貫通し、後端が支柱アッセンブリ６の後方に突出している。切替手段７９は、両端がピアノ本体の側面を形成する左右一対の親板８２間に横架された回転軸８３と、回転軸８３にそれぞれ固定され各軸７６の弦３とは反対側端面に当接する複数個の偏心カム８４と、棚板１の下面前端部にホルダー８５を介して配設された摘み８６と、回転軸８３と摘み８６を連結するワイヤ８７等で構成されている。
【００２５】
次に、本実施例の弱音演奏時の動作について説明する。
通常演奏状態から弱音演奏状態に切り替えるには、切替手段７９の摘み８６を操作してワイヤ８７を引き寄せる。これにより偏心カム８４が回動して軸７６を前進移動させ、クッション部材７５を弦３に押し付け、もって通常演奏状態から弱音演奏状態に切り替わる。この状態で鍵盤４の中のある鍵４Ａを押鍵操作すると、打弦時にはハンマー３８のハンマーヘッド３８Ｂと振動抑制手段６２のクッション材７５との間に弦３が挟み込まれた状態になる。その結果、ハンマー３８の運動エネルギは、ハンマーヘッド３８Ｂと振動抑制手段６２のクッション材７５とで殆ど吸収され、弦３は余り振動せず、弱音演奏を可能にする。この際、押圧部材７４の第１、第２、第３押圧部７４ａ，７４ｂ，７４ｃおよびそれぞれ弦３に対応する前面に固着されたクッション材７５は、低音域および中音域または高音域にわたって延設されている。したがって、押鍵に応じて回動するハンマー３８が有する運動エネルギは、押鍵操作された鍵４Ａに対応する音高を有する弦３に対応する箇所の押圧部材７４とクッション材７５とでだけで吸収されるだけでなく、延設された押圧部材７４とクッション材７５の中で押鍵操作された鍵４Ａに対応する音高を有する弦に対応する箇所以外の領域にわたってハンマー３８の運動（衝撃）エネルギを受けるので負荷能力が大きく、ハンマー３８の衝撃を大きく吸収することができる。したがって、たとえハンマー３８が弦３に衝突しても弦３に対して振動を伝えず、弦３の振動を抑制する。
【００２６】
また、この発明によれば、弱音演奏状態においても、押鍵時にダンパー機構２０の負荷が鍵に作用するので、上記した先行技術４のように鍵タッチ感が変化するということがなく、通常演奏時と同じ鍵タッチ感が得られる。
【００２７】
ここで、高音弦３ｃの場合は弦受山１３ａから有効弦長の１／２０の位置が打弦点Ｐで、フレーム１３にきわめて近い位置のため、押圧部材７４で打弦点Ｐを押圧する代わりに、打弦点Ｐの近傍部を押圧してもよい。高音部では振動の振幅が小さく、このような構造においても弦３の振動を抑止し、弱音演奏を可能にする。
【００２８】
図３はこの発明の第２実施例を示す鍵盤とアクション機構部の断面図である。
この実施例においては、上記第１実施例と同様な構造のピアノに加えて上記した通常演奏に加えて通常演奏時の鍵タッチ感を阻害しないで打弦音を弱める弱音演奏をすることができる装置９０を備えている。この装置９０は、弱音演奏時に弦３とハンマー３８との間に介挿されるマフラー機構９１と、弦３の打弦点Ｐに対応して弦３についてハンマー３８とは反対側に配置され、弱音演奏時に弦３をハンマー方向に押圧し前記マフラー機構９１とともに弦３を挟み込む振動抑制手段６２とを備えている。
なお、マフラー機構９１以外の部分の構成は第１実施例と同様であり、同じ符号を付してある。
【００２９】
前記マフラー機構９１は、マフラーレール９３と、このマフラーレール９３に垂下されたフェルト等のマフラーフェルト９４と、マフラーレール９３を支持する回動アーム９５と、回動アーム９５に図３において反時計方向の復帰習性を付与するばね９６と、切替手段１００等で構成されている。マフラーレール９３は、金属、プラスチック、木材等の剛性の大きい材料によって側面視逆Ｌ字状に形成されている。
【００３０】
この場合、マフラーレール９３は、図４に示すように低および中音域と高音域とに分けて形成されており、高音域のマフラーレール９３ｂが低、中音域のマフラーレール９３ａより高い位置に配置されている。その理由は、上記した通り低、中音弦３ａ，３ｂと高音弦３ｃの打弦点Ｐがそれぞれその有効弦長の１／８と１／２０で異なることから、高音弦３ｃの打弦点の方が低中音弦３ａ，３ｃの打弦点Ｐに比べて高い位置にあるためである。そして、これらのマフラーレール９３ａ，９３ｂは互いに連動して動作するよう構成されている。
なお、マフラーレール９３を低、中音域と高音域の２つに分けて形成する代わりに、各音域毎に分割して形成したり、あるいはアクション割りにしたがい全てのアクション機構１９を複数のアクション機構１９でグループ化した複数のセクション毎に分割して形成されるものであってもよい。
【００３１】
前記回動アーム９５は中間部が軸９８によって上下方向に回動自在に軸支され、かつ前記ばね９６によって図３において反時計方向の復帰習性が付与されることにより、通常演奏状態においては前端部下面が第１ストッパ９９ａに係止されている。この状態において、前記マフラーフェルト９４はハンマー３８の回動軌道から外れ、弦３のハンマー３８によって打撃される部位、すなわち打弦点Ｐより上方に退避されている。したがって、この状態において鍵４Ａの押鍵操作によってアクション機構１９を動作させても、ハンマー３８はマフラーフェルト９４に当接することはなく弦３を直接打撃し、大きな演奏音を発する。
【００３２】
前記切替手段１００は、棚板１の前端部下面の適宜箇所にホルダ１０１を介して配設された摘み１０２と、回動レバー９５と摘み１０２とを連結するワイヤ１０３等で構成されている。通常演奏状態から弱音演奏状態に切り替えるには、摘み１０２を操作してワイヤ１０３を引き寄せ回動レバー９５をばね９６に抗して図３において時計方向に回動させる。こうすることにより、マフラーフェルト９４は弦３に沿って下降してハンマー３８の回動軌道内に移動し、回動レバー９６が所定角度回動して第２ストッパ９９ｂに当接すると、通常演奏状態から弱音演奏状態に切り換わる。この状態で鍵４Ａを押鍵操作するとハンマー３８はマフラーフェルト９４を介して弦３を打撃するため、弦３に対する打撃力は弱められる。
この場合、上記した振動抑制手段６２の切替手段７９は弱音演奏時に上記したマフラー機構９１と連動して動作することにより、クッション材７５を弦３に押し付ける。
【００３３】
このような構造からなる鍵盤楽器においては、マフラー機構９１と振動抑制手段６２を連動させることにより、ハンマー３８が弦３を直接打撃する通常演奏と、ハンマー３２とマフラー機構９１と、振動抑制手段６２で弦３を挟み込んだ状態でハンマー３８が弦３を打撃する弱音演奏を行うことができる。
すなわち、通常演奏においては、マフラー機構９１を打弦点Ｐより上方の待機位置に待機させ、振動抑制手段６２を弦３の後方に待機させた状態において、鍵４Ａを押鍵操作すると、アクション機構１９が当該鍵４Ａに連動して動作しハンマー３８が押鍵操作された鍵４Ａに対応する弦３を直接打撃する。したがって、大きな演奏音による演奏を行うことができる。
次に、切替手段１００を操作してマフラー機構９１のマフラーフェルト９４を打弦点Ｐの位置まで下降させるとともに、マフラー機構９１と連動して切替手段７９（図２参照）を動作させてクッション材７５を弦３に押し付けると、弦３はハンマーヘッド３８Ｂとマフラー機構９１のマフラーフェルト９４と、前記クッション材７５とによって挟み込まれた状態となるので、この状態でハンマー３８が弦３を打撃しても、弦３は殆ど振動せず、弱音演奏を可能にする。また、マフラーフェルト９４によりハンマー３８の打弦速度が減速され、ハンマー３８から弦３に付与されるエネルギが吸収されるので、これによっても弱音化される。
【００３４】
この場合、上記した先行技術３のようにハンマー３８の回動を打弦直前に停止させることにより弱音演奏を可能にする場合は、ジャック２３がバット２４から脱進するタイミングを速くする必要があり、そのため鍵タッチ感が通常演奏時と異なるという不具合があったが、この発明においてはハンマー３８自体の回動は何等阻止せず、弦３自体の振動を阻止するようにしているため、ジャック２３がバット２４から脱進するタイミングを早めに調整する必要がなく、通常、弱音演奏時のいずれにおいても同じ鍵タッチ感で演奏することができる。
また、本実施例によれば、マフラーフェルト９４とクッション材７５とで挟み込んで弦の振動を抑制するため、第１実施例に比べて弱音性能が高い。加えて、高音部でクッション材７５で打弦点Ｐを押圧できなくても、マフラーフェルト９４により弦を確実に挟み込むことができる。
【００３５】
なお、マフラー機構９１の切替手段１００としては、摘み１０２とワイヤ１０３に限らず種々の変更が可能であり、たとえばペダル操作によって回動レバー９５を直接回動させたり、駆動モータ、ソレノイド等によって回動させるなどの変更が可能である。駆動モータを使用する場合は、モータの回転をギヤ等によって軸９８に伝達すればよい。ソレノイドの場合はリンクを用いればよい。
【００３６】
図５はこの発明をグランドピアノに適用した場合の第３実施例を示す鍵盤とアクション機構部の断面図、図６は楽器本体の外観斜視図、図７（ａ）、（ｂ）は振動抑制手段の動作状態と不動作状態の断面図である。なお、図中図１〜図４と同一構成部材のものに対しては同一符号をもって示し、その説明を省略する。グランドピアノにおいては、各音高の弦３は、アクション機構１１０の上方に水平に設置されたフレーム１３に所定の張力で略水平に張設されている。鍵４Ａの後端部上方には全ての弦３に対して共通に延在するサポートレール１１１およびシャンクレール１１２が配設されており、これらレール１１１，１１２に鍵盤４に連動して動作し対応する弦３を打撃する前記アクション機構１１０が組付けられ、またサポートレール１１１の後方には通常弦３の自由振動を阻止し、打弦時に弦３を解放するダンパー機構１１３が配設されている。
【００３７】
前記サポートレール１１１とシャンクレール１１２は、棚板１上に図示しないアクション台を介して鍵４Ａの配列方向に並設された複数個、たとえば３〜４つのブラケット１１４に略水平に固定されている。ブラケット１１４は、鍵盤筬２とともに左右方向に移動可能とされており、弱音演奏時に楽器本体１１５の下部に配置された図示しないシフトペダルの踏み込み操作によって前記鍵盤筬２と一体に鍵盤４の並設方向に移動されるように構成されている。
【００３８】
前記アクション機構１１０は、鍵盤４の押鍵操作によって回動されるウイペン２２と、弦３を打撃するハンマーアッセンブリ２５と、押鍵操作に伴いウイペン２２とともに上昇し前記ハンマーアッセンブリ２５を突き上げるジャック２３と、打弦動作後ハンマーアッセンブリ２５を受け止めて初期位置に復帰させるレペティションレバー１１６と、打弦動作時に前記ジャック２３をハンマーアッセンブリ２５から一時的に脱進させるレギュレチングアッセンブリ３６等で構成されている。
【００３９】
前記ウイペン２２は、前記サポートレール１１１に固定されたサポートフレンジ１２１の上端に後端がピンを介して上下方向に回動自在に軸支されており、前端側下面が鍵盤４の後端部上面に植設されたキャプスタン２８上に載置されることにより通常略水平に保持されている。また、ウイペン２２の後端部上面にはハンマーシャンク３９を受け止めるハンマーシャンクストップフェルト１２２が固着されている。
【００４０】
前記ジャック２３は、その下端屈曲部がウイペン２２の前端に回動自在に軸支されるとともに、レペティションスプリング１２３によって図５において反時計方向の回動習性が付与されている。ジャック２３のジャック大２３Ａは、前記レペティションレバー１１６の前端部に形成された貫通孔からなる長孔１２５に下方から挿入されており、その頂端面がハンマーシャンク３９の前端部側下面に固着されたハンマーローラ１２６の下面を支持している。また、ジャック大２３Ａにはレペティションボタン１２７が取り付けられており、このボタン１２７はウイペン２２上に植設されたジャックストップ１２８に前記レペティションスプリング１２３のばね力によって通常圧接されることにより、ジャック２３が反時計方向に回動するのを制限している。ジャック２３のジャック小２３Ｂは、前記レギュレチングアッセンブリ３６の下方に所定の距離Ｄを保って延在している。
【００４１】
前記レペティションレバー１１６は、ウイペン２２の略中央部に突設されたレペティションレバーフレンジ１２９の上端にピンを介して上下方向に回動自在に中央部が軸支されるとともに、前記レペティションスプリング１２３によって図５において反時計方向の回動習性が付与されている。レペティションレバー１１６の後端部には通常前記レペティションスプリング１２３のばね力によってウイペン２２の後端部側上面に圧接されるレペティションボタン１３０が配設されており、これによってレペティションレバー１１６の反時計方向の回動を制限している。
【００４２】
前記ハンマーアッセンブリ２５のハンマーシャンク３９は、前記シャンクレール１１２の上面に固定されたシャンクフレンジ１３１の後端にピンを介して上下方向に回動自在に軸支されており、通常前記ハンマーローラ１２６がレペティションレバー１１６によって支持されることにより初期位置に係止されている。
【００４３】
このような構造において、鍵４Ａの押鍵操作に伴いウイペン２２がキャプスタン２８により突き上げられて反時計方向に回動すると、ジャック２３がハンマーローラ１２６を下から突き上げてハンマーアッセンブリ２５を時計方向に回動させる。これによってハンマー３８が押鍵操作された鍵４Ａに対応する弦３を直接打撃する。打弦動作途中において、ジャック２３は、ジャック小２３Ｂがレギュレチングアッセンブリ３６に当接してその上昇運動を阻止されることにより、レペティションスプリング１２３に抗して時計方向に回動され、これによってハンマーローラ１２６の下部から一時的に脱進する。そして、打弦動作後、弦３の反発力および自重によって回動復帰するハンマーアッセンブリ２５は、ハンマーローラ１２６がレペティションレバー１１６によって受け止められることにより初期位置へと復帰する。この時、レペティションレバー１１６は、ハンマーアッセンブリ２５の落下衝撃によりレペティションスプリング１２３に抗して時計方向に回動されることにより、前記落下衝撃を吸収ないし緩和し、ハンマーローラ１２６の跳ね返りを防止するとともに同一の鍵４Ａによる早い連打を可能にしている。また、前記ジャック２３は、ハンマー３８による打弦動作後、鍵４Ａの復帰動作に伴うウイペン２２の回動下降に連動して回動復帰することにより、上端が再びハンマーローラ１２６の下部に入り込み、次の打弦動作を可能にする。また、回動復帰するハンマーアッセンブリ２５は、鍵４Ａの後端部上面に配設されたバックチェック１３３によって弾性的に受け止められ、跳ね返りを防止される。
【００４４】
前記ダンパー機構１１３は、ダンパーレバーレール１３５にダンパーレバーフレンジ１３６を介して上下方向に回動自在に配設され、前端が鍵盤４の後端部上方に延在するダンパーレバー１３７と、このダンパーレバー１３７の前端側に設けられたダンパーブロック１３８と、このダンパーブロック１３８にダンパーワイヤ１３９を介して配設されたダンパー１４０等で構成されている。ダンパー１４０は通常弦３を上方から押圧することにより、弦３の自由な振動を阻止しており、鍵４Ａの押鍵操作時にダンパーレバー１３７が鍵４Ａによって反時計方向に回動されると、上昇して弦３から離間するよう構成されている。そして、このダンパー１４０の離間後、前記ハンマー３８が弦３を打撃することで通常演奏を可能にしている。
なお、上記したアクション機構１１０とダンパー機構１１３は、従来のグランドピアノのアクション機構およびダンパー機構と全く同様である。
【００４５】
前記弦３の上方にはさらに振動抑制手段１５０が配設されている。この振動抑制手段１５０は、図６および図７に示すように楽器本体１１５を形成する側板１５１間に横架され弦３の打弦点Ｐの上方に位置する梁部材１５２と、この梁部材１５２の下面にセクション毎に分割されて固着された複数個のエアバック１５３と、各エアバック１５３の下面に固着されたフェルト等のクッション材１５４等によって構成されており、エアバック１５３がパイプ１５５によって空気供給源１５６に接続されている。エアバック１５３は、通常演奏時においては空気の供給を受けず、収縮状態を保持することによりクッション材１５４を弦３から離間させている。弱音演奏時に空気がパイプ１５５を経て供給されると、エアバック１５３が膨張してクッション材１５４を弦３の上面に押し付けるよう構成されている。エアバック１５３を用いた理由は、弦３と弦３の上方を覆う上蓋（図示せず）との隙間が狭く、カム機構等によって振動抑制手段１５０を移動させるための十分なストロークを確保することができないことによる。
【００４６】
このような構造において、弱音演奏時にはエアバック１５３が膨張してクッション材１５４が弦３に当接した状態になる。前述した第１実施例および第２実施例と同様に、この状態で鍵盤４の中のある鍵４Ａを押鍵操作すると、打弦時にはハンマー３８のハンマーヘッド３８Ｂと振動抑制手段１５０のクッション材１５４との間に弦３が挟み込まれた状態になる。その結果、打弦時においても弦３が余り振動せず、弱音演奏が可能となる。
【００４７】
さらに、前記弦３の打弦点Ｐの下方にはマフラー機構１６１が配設されている。マフラー機構１６１は、図８に示すように中框１６２の前面に固定されたブラケット１６３の上端に一端が上下方向に回動自在に保持されたフェルト、人工皮革、クロス等からなるマフラーフェルト１６４を備えている。マフラーフェルト１６４は上記したマフラー機構９１（図３参照）のマフラーフェルト９４と同様に、低、中音側と高音側（もしくはアクション割り毎）に分割されて形成されており、通常演奏時においては二点鎖線で示すように垂下した状態に保持され、弱音演奏時にワイヤ１６６、摘み１６７等からなる切替手段１６８（図５参照）によって図８において反時計方向に回動されると、上昇して弦３の打弦点Ｐに下方から当接するように構成されている。
【００４８】
このような構造においても図８に示すように、振動抑制手段１５０とマフラー機構１６１とを選択的に切り替えて弦３に接触離間させることにより、ハンマー３８のハンマーヘッド３８Ｂと振動抑制手段１５０とで弦３を挟み込んで打弦する弱音演奏と、振動抑制手段１５０とマフラー機構１６１とで弦３を挟み込んだ状態でハンマー３８がマフラー機構１６１を介して弦３を打撃する弱音演奏とのどちらでも実現できる。いずれの弱音演奏も鍵タッチ感を何等変えることなく行うことができる。
なお、本実施例においては、第１実施例と同様に、マフラー機構を設けずにクッション材１５４とマフラー３８によって弦を挟み込むようにしてもよい。
【００４９】
図９はこの発明の第４実施例を示す鍵盤とアクション機構部の断面図である。上記第１〜第３実施例は、弱音演奏を行う装置の構造を説明したが、クッション材７５の硬さおよび圧縮コイルばね７７の強さとを適宜変更すれば、弦３を殆ど振動させることなく、音程を有する音を全く発生させない打弦によって音程を有する音を発生させない消音演奏をすることも可能である。ここで、消音とは、押鍵操作を行なっても音程を有する音を全く発生しない状態を指す。したがって、音程を有する音が全く発生せず、ハンマー３８が振動抑制手段６２のクッション材７５と弦３とに衝突する打撃音が発生するものは消音に含む。
【００５０】
第４実施例における鍵盤楽器は、消音演奏時には、鍵およびペダルに対応して設けられたキーセンサおよびペダルセンサからの出力信号によって楽音制御回路を制御して、電子音源からの電子音を発生させるようにしている。これを図９に基づいてさらに詳述する。第４実施例は上記した第１実施例と同様にアップライトピアノをベースとしている。楽音制御回路１７０を除き、ピアノ部分は第１実施例と共通であり、共通する要素については同一の符号を付し、その説明を省略する。
【００５１】
楽音制御回路１７０は、各鍵４Ａの下に設けられたキーセンサ１７１および各ペダル１７２の下に設けられたペダルセンサ１７３が出力するセンサ信号をサンプリングするサンプルホールド回路（Ｓ／Ｈ）１７４と、サンプルホールド回路１７４からの信号をデジタル変換するＡＤコンバータ１７５と、ピアノ、ハープシコード、チェンバロ等の自然楽器もしくは電子的に合成した楽音を電子データで記憶した電子音源１７６と、音色データ等の固定的なデータを記憶するリードオンメモリ（ＲＯＭ）１７７と、演奏中のデータを一時的に記憶するランダムアクセスメモリ（ＲＡＭ）１７８と、これらの構成要素を制御するＣＰＵ１７９とを備えている。ＡＤコンバータ１７５と、電子音源１７６と、ＲＯＭ１７７およびＣＰＵ１７９とは、バス１８０を介して接続されている。
【００５２】
楽音制御回路１７０は、さらにＣＰＵ１７９で処理された信号を外部に出力するために、デジタル信号をアナログ信号に変換するＤＡコンバータ（ＤＡＣ）１８１を備えている。ＤＡＣ１８１は、バス１８０と接続されている。ＤＡＣ１８１には信号を増幅するアンプ１８２が接続されており、増幅された信号はアンプ１８２に接続されたヘッドホン１８３によって聴取することが可能である。
【００５３】
次に、第４実施例に係る鍵盤楽器の動作を説明する。
通常演奏時には、第１実施例の鍵盤楽器の通常演奏と同様に動作する。通常演奏時においてはキーセンサ１７１およびペダルセンサ１７３は作動しない。
【００５４】
一方、消音演奏時においては、演奏者が切替手段７９の摘み８６を操作して通常演奏から消音演奏に切り換えると、前記第１実施例と同様に、振動抑制手段６２の偏心カム８４が回転軸８３と一体に回動し、軸７６を弦３側に移動させる。したがって、押圧部材７４のクッション材７５が弦３に当接する。演奏者が鍵４Ａを押鍵操作すると、ハンマー３８が回動してハンマーヘッド３８Ｂが弦３に当接する。しかし、押圧部材７４のクッション材７５も弦３に既に当接しているので、弦３は振動しない。したがって、押鍵した鍵４Ａの音名に対応した音高を有する打弦音は発生しない。
【００５５】
一方、消音演奏に切り換えた際に、キーセンサ１７１およびペダルセンサ１７３が作動しており、演奏者が鍵４Ａを押したおよびペダル１７２を踏み込んだ際には、これらのセンサ１７１，１７３から検出信号が楽音制御回路１７０に出力される。検出信号は、サンプルホールド回路１７４を介してＡＤＣ１７５に入力され、デジタル信号に変換される。ＣＰＵ１７９は、デジタル信号に変換された検出信号に基づいて電子音源１７６を制御して電子的に楽音信号を発生させる。電子音源１７６から出力された楽音信号は、バス１８０を介してＤＡＣ１８１に出力され、ＤＡＣ１８１でアナログ信号に変換される。アナログ信号に変換された楽音信号は、アンプ１８２によって増幅され、ヘッドホン１８３から音声信号として出力される。
【００５６】
この場合、上記した先行技術３のようにハンマー３８の回動を打弦直前に停止させることにより消音演奏を可能にする場合は、ジャック２３がバット２４から脱進するタイミングを速くする必要があり、そのため鍵タッチ感が通常演奏時と異なるという不具合があったが、この発明においてはハンマー３８自体の回動は何等阻止せず、弦３自体の振動を阻止するようにしているため、ジャック２３がバット２４から脱進するタイミングを早めに調整する必要がなく、通常、消音演奏時のいずれにおいても同じ鍵タッチ感で演奏することができる。
【００５７】
また、消音演奏時には、ピアノの打弦音の代わりに電子音をヘッドホン１８３で聴くため、近隣居住者へ騒音を伝達することがない。
【００５８】
なお、第４実施例においては、アップライトピアノを用いて説明したが、グランドピアノに、第３実施例のような振動抑制手段１５０を設けて、さらに本実施例に用いたキーセンサ１７１、ペダルセンサ１７３、楽音制御回路１７０等を設けて消音演奏が可能な鍵盤楽器を構成してもよい。また逆に、第１〜第３実施例の弱音演奏可能な構成にキーセンサ１７１、楽音制御回路１７０等を設けるようにしてもよい。
また、第４実施例においても、第２、第３実施例と同様にマフラー機構９１または１６１を設けるようにしてもよい。
さらにまた、第１〜第３実施例においては、通常演奏と弱音演奏とを切り換え可能にし、第４実施例においては通常演奏と消音演奏とを切換可能にしたが、振動抑制手段６２または１５０を通常演奏時と弱音演奏時と消音演奏時の３段階で制御するようにしてもよい。
【００５９】
【発明の効果】
以上説明したようにこの発明に係る鍵盤楽器は、振動抑制手段を弱音演奏時に弦の打弦点もしくはその近傍に当接させるようにしたので、ハンマーが弦を打撃した際、弦はハンマーと振動抑制手段によって挟み込まれて振動を阻止されるため、弱音性能を高めることができるとともに、音程感のある音が発音しない弱音演奏を行うことができる。また、アクション機構に何等の変更を行わないため、通常演奏から弱音あるいは消音演奏状態に切り替えても弱音あるいは消音演奏時においても鍵タッチ感を損なうことがなく、弱音あるいは消音演奏を行うことができる。
【００６０】
また、この発明は消音演奏時にマフラー機構と振動抑制手段とで弦を挟み込むようにしたので、弦の振動をより確実に防止することができる。
【００６１】
また、振動抑制手段としてエアバックを用い、このエアバックを空気の供給によって膨張させ、クッション材を弦に押し付けるようにすると、狭いスペースでも振動抑制手段を配置することができ、グランドピアノに適用する場合に好適である。
【００６２】
さらに、消音演奏状態において、電子的に楽音を発生させることができ、近隣居住者への騒音となることがない。
【図面の簡単な説明】
【図１】この発明をアップライトピアノに適用した場合の第１実施例を示す鍵盤とアクション機構部の通常演奏時の断面図である。
【図２】振動抑制手段の一部を破断した斜視図である。
【図３】この発明の第２実施例を示す鍵盤とアクション機構部の通常演奏時の断面図である。
【図４】マフラー機構の正面図である。
【図５】この発明をグランドピアノに適用した場合の第３実施例を示す鍵盤とアクション機構部の断面図である。
【図６】振動抑制手段の取付構造を示す楽器本体の斜視図である。
【図７】（ａ），（ｂ）は振動抑制手段の動作状態と、不動作状態の断面図である。
【図８】マフラー機構の取付構造を示す断面図である。
【図９】この発明の第４実施例を示す鍵盤とアクション機構部の断面図である。
【符号の説明】
３…弦、４…鍵盤、１９…アクション機構、２０…ダンパー機構、２５…ハンマーアッセンブリ、３８…ハンマー、６２…振動抑制手段、７４…押圧部材、７５…クッション材、７９…切替手段、９１…マフラー機構、９４…マフラーフェルト、１５０…振動抑制手段、１５３…エアバック、１５４…クッション材、１７０…楽音発生回路、１７１…キーセンサ、１７３…ペダルセンサ、１７５…電子音源。
【図１】
0003598571.tif 000002
【図２】
0003598571.tif 000003
【図３】
0003598571.tif 000004
【図４】
0003598571.tif 000005
【図６】
0003598571.tif 000006
【図５】
0003598571.tif 000007
【図７】
0003598571.tif 000008
【図８】
0003598571.tif 000009
【図９】
0003598571.tif 000010